【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】  フィルム（７０）の向かい合った両側の縁部に沿って延びている２列のパーフォレーション（７２）を備え、映画フィルム映写機（１０）のスプロケット（３０、３６）と噛み合う映画フィルム（７０）のストリップに感光乳剤を被覆する、高解像度をもつ映画公開用プリントフィルム（７０）を製作する方法において、
各画像によって占められるエリアがコマ（７４）によって区画されており、該コマは、前記パーフォレーション（７２）の列同士の間の利用可能なスペースを実質的に占め、従来のアナログサウンドトラック（５２、６０、６４）によって通常、占有されているスペースを含んでいる、少なくとも約２．２４ｃｍ（０．８８インチ）の幅と、約３つのパーフォレーション（７２）以下に亘る高さ（７６）とを有し、そして、ほぼ１．８５対１の焼付けアスペクト比を有する、前記フィルム（７０）の前記エリア上に画像を感光させ、
前記映画フィルム映写機（１０）によって映写されるときサウンドを前記画像に連係させる、従来のアナログサウンドトラック（５２、６０、６４）と異なる音声情報を（８６、８８、９０）を前記フィルム（７０）上に配置する
ことを特徴とする映画フィルムを製作する方法。
【請求項２】  フィルム（７０）の向かい合った両側の縁部に沿って延びている２列のパーフォレーション（７２）を備え、映画フィルム映写機（１０）のスプロケット（３０、３６）と噛み合う映画フィルムのストリップを有する、高解像度をもつ映画公開プリントフィルム（７０）において、
前記フィルム（７０）のエリア上の映写可能な複数の画像であって、各画像によって占められるエリアがコマ（７４）によって区画されており、該コマは、前記パーフォレーション（７２）の列同士の間の利用可能なスペースを実質的に占め、従来のアナログサウンドトラック（５２、６０、６４）によって通常、占有されているスペースを含んでいる、少なくとも約２．２４ｃｍ（０．８８インチ）の幅（７８）と、約３パーフォレーション以下に亘る高さ（７６）とを有し、ほぼ１．８５対１のアスペクト比を有する、前記フィルム（７０）の前記エリア上の複数の映写可能な画像と、
前記映画フィルム映写機（１０）によって映写されるときサウンドを前記画像に連係させる、従来のアナログサウンドトラック（５２、６０、６４）と異なる、前記フィルム（７０）上の音声情報（８６、８８、９０）と
を有することを特徴とする映画公開プリントフィルム。
【請求項３】  前記音声情報は、前記コマ（７４）の外側で前記フィルム（７０）上に配置されていて、前記フィルム（７０）上の画像と同期して音声を生成するためにＣＤ−ＲＯＭプレーヤの動作を制御する制御トラック（８６）を含んでいるデジタルサウンドトラック（９０）を有する、請求項２に記載の映画フィルム。
【請求項４】  前記デジタルサウンドトラック（９０）は冗長デジタル音声を出力するために冗長である、請求項３に記載の映画フィルム。
【請求項５】  １つの制御トラック（８６）が前記フィルム（７０）上で、該フィルム（７０）の一方の縁部に沿うパーフォレーション（７２）同士の間に配置されており、他の１つの冗長制御トラック（８６）が前記フィルム（７０）上で、該フィルム（７０）の反対側の縁部に沿うパーフォレーション（７２）同士の間に配置されている、請求項４に記載の映画フィルム。
【請求項６】  各コマ（７４）の幅（７８）が約２．４０ｃｍ（０．９４５インチ）で、各コマ（７４）の高さ（７６）が約１．３０ｃｍ（０．５１インチ）である、請求項２に記載の映画フィルム。
【請求項７】  コマ（７４）同士間の間隔が約０．１３ｃｍ（０．０５インチ）である、請求項２に記載の映画フィルム。
【請求項８】  各画像の解像度が、約２．４０ｃｍ（０．９４５インチ）のコマ幅と約１．１３３ｃｍ（０．４４６インチ）のコマ高さとを有し、標準アスペクト比１．８５対１をもつコマによって区画される画像と比較して約３０パーセント以上高い、請求項１１に記載の映画フィルム。
【請求項９】  フィルム（７０）の向かい合った両側の縁部にそって延びている２列のパーフォレーション（７２）を備え、映画フィルム映写機（１０）のスプロケット（３０、３６）と噛み合う映画フィルム（７０）のストリップに感光乳剤を被覆する、高解像度をもつ映画公開用プリントフィルム（７０）を製作する方法において、
各画像によって占められるエリアがコマ（７４）によって区画されており、該コマは、約２．０９６ｃｍ（０．８７５インチ）の幅（７８）と約１．３０ｃｍ（０．５１インチ）の高さ（７６）を有し、該コマ（７４）の幅（７８）は前記パーフォレーション（７２）同士の列の間の利用可能な全スペースを実質的に占め、従来のアナログサウンドトラック（５２、６０、６４）によって通常、占められているスペースを含んでおり、該コマ（７４）の高さ（７６）は約３パーフォレーション（７２）に亘り、そして、ほぼ１．８５対１の焼付けアスペクト比を有する、前記フィルム（７０）の前記エリア上に画像を感光させ、
前記映画フィルム映写機（１０）によって映写されるときサウンドを画像に連係させ、前記パーフォレーション（７２）の列同士間の利用可能な前記スペースを実質的に占めないように音声情報を（８６、８８、９０）を前記フィルム（７０）上に配置する
ことを特徴とする映画フィルムを製作する方法。
【請求項１０】  フィルム（７０）の向かい合った両側の縁部に沿って延びている２列のパーフォレーション（７２）を備え、映画フィルム映写機（１０）のスプロケット（３０、３６）と噛み合う映画フィルムのストリップを有し高解像度をもつ映画公開用プリントフィルム（７０）において、
前記フィルムの前記エリア上の映写可能な複数の画像であって、各画像によって占められるエリアがコマ（７４）によって区画されており、該コマは、約２．４０ｃｍ（０．９４５インチ）の幅（７８）と、約１．３０ｃｍ（０．５１インチ）の高さ（７６）とを有し、ほぼ１．８５対１のアスペクト比を有する、前記フィルムの前記エリア上の映写可能な複数の画像と、
前記映画フィルム映写機（１０）によって映写されるときサウンドを画像に連係させ、前記パーフォレーション（７２）の列同士間の利用可能なスペースを実質的に占めない前記フィルム（７０）上の音声情報（８６、８８、９０）と
を有することを特徴とする映画公開用プリントフィルム。
【請求項１１】  フィルム（７０）の向かい合った両側の縁部に沿って延びている２列のパーフォレーション（７２）を備え、映画フィルム映写機（１０）のスプロケット（３０、３６）と噛み合う映画フィルム（７０）のストリップに感光乳剤を被覆する、高解像度をもつ映画公開用プリントフィルム（７０）を製作する方法において、
各画像によって占められるエリアがコマ（７４）によって区画されており、該コマは、前記パーフォレーション（７２）の列同士の間のスペースを実質的に占め、従来のアナログサウンドトラック（５２、６０、６４）によって通常、占有されているスペースを含んでいる、少なくとも約２．２９ｃｍ（０．９インチ）の幅（７８）と、約３パーフォレーション（７２）以下に亘る高さ（７６）を有し、そして、ほぼ１．８５対１のアスペクト比を有する、前記フィルム（７０）の前記エリア上に画像を感光させ、
前記映画フィルム映写機（１０）によって映写されるときサウンドを画像に連係させる、従来のアナログサウンドトラック（５２、６０、６４）と異なる音声情報を（８６、８８、９０）を、前記フィルム（７０）上に配置する
ことを特徴とする映画フィルムを製作する方法。
【請求項１２】  フィルム（７０）の向かい合った両側の縁部に沿って延びている２列のパーフォレーション（７２）を備え、映画フィルム映写機（１０）のスプロケット（３０、３６）と噛み合う映画フィルムのストリップを有し高解像度をもつ映画公開用プリントフィルム（７０）において、
前記フィルム（７０）のエリア上の映写可能な複数の画像であって、各画像によって占められるエリアはコマ（７４）によって区画されており、該コマは、前記パーフォレーション（７２）の列同士の間のスペースを実質的に占め、従来のアナログサウンドトラック（５２、６０、６４）によって通常、占有されているスペースを含んでいる、少なくとも約２．２９ｃｍ（０．９インチ）の幅（７８）と、ほぼ３パーフォレーション以下に亘る高さ（７６）とを有し、ほぼ１．８５対１のアスペクト比を有する、前記フィルム（７０）の前記エリア上の映写可能な複数の画像と、
前記映画フィルム映写機（１０）によって映写されるときサウンドを画像に連係させる、従来のアナログサウンドトラック（５２、６０、６４）と異なる、前記フィルム（７０）上の音声情報（８６、８８、９０）と
を有することを特徴とする映画公開用プリントフィルム。
【手続補正２】
【補正対象書類名】図面
【補正対象項目名】図２ａ
【補正方法】変更
【補正の内容】
【図２ａ】
2002513171.tif 000001
【手続補正３】
【補正対象書類名】図面
【補正対象項目名】図２ｂ
【補正方法】変更
【補正の内容】
【図２ｂ】
2002513171.tif 000002
【手続補正４】
【補正対象書類名】図面
【補正対象項目名】図２ｃ
【補正方法】変更
【補正の内容】
【図２ｃ】
2002513171.tif 000003